(57)【要約】      （修正有）【課題】上蓋を容易に段階的に開けることができ、キャップ本体と上蓋の固定部分が単純な構造のヒンジキャップを提供する。【解決手段】容器の口部に装着されるキャップ本体と、該キャップ本体にヒンジ１０を介して開閉自在に連結された上蓋とを備えたヒンジキャップにおいて、該キャップ本体は該上蓋を係止する係止部８を有し、該キャップ本体または該上蓋のいずれか一方側に開蓋補助板９を、他方側には当接壁１６を有し、閉蓋状態において該開蓋補助板９はその先端９ａが該当接壁に当接し、且つキャップ内に押し込められた状態で収容される。また開蓋において該係合部の係合が解除された時も、該開蓋補助板９の先端９ａは該当接壁１６への当接を維持し、所定の開き角度で上蓋が停止する。【選択図】図２
0003184328.tif 000002
【実用新案登録請求の範囲】
【請求項１】
容器の口部に装着されるキャップ本体と、該キャップ本体にヒンジを介して開閉自在に連結された上蓋とを備えたヒンジキャップにおいて、
該キャップ本体は該上蓋を係止する係合部を有し、該キャップ本体または該上蓋のいずれか一方側に開蓋補助板を、他方側には当接壁を有し、
閉蓋状態において該開蓋補助板はその先端が該当接壁に当接し、且つキャップ内に押し込められた状態で収容されるものであって、
開蓋において該係合部の係合が解除された時、該開蓋補助板は該当接壁への当接を維持していることを特徴とするヒンジキャップ。
【請求項２】
前記開蓋補助板は、前記キャップ本体側に形成されるものであって、キャップ本体の係合部から立設して形成されることを特徴とする請求項１記載のヒンジキャップ。
【請求項３】
前記当接壁は、前記上蓋側に形成されるものであって、前記上蓋の頂壁内面に設けられるシール筒の外面であることを特徴とする請求項１、または２記載のヒンジキャップ。
【請求項４】
前記開蓋補助板は、開蓋時、前記開蓋補助板が前記当接壁から離脱する際にクリック音を発生させるものであることを特徴とする請求項１、２、または３記載のヒンジキャップ。
【考案の詳細な説明】
【技術分野】
【０００１】
本考案は、合成樹脂製キャップに関し、詳細には開蓋補助機構を備えたヒンジキャップに関する。
【背景技術】
【０００２】
醤油やドレッシングなどの液体調味料、歯磨き粉などの液状物、あるいは錠剤などの固形物を収容した各種容器に装着されるキャップには、ヒンジキャップが広く使用されている。
【０００３】
このようなヒンジキャップは、上蓋を紛失する恐れがなく、また開閉動作がワンタッチで行えて使い勝手がよい。しかしながら、キャップ本体と上蓋の係合が固く、開蓋に力が必要なことがあった。また、上蓋に形成された鍔部に指を掛けるタイプものにおいては、鍔部が小さいと手指を痛め易いという問題があった。
【０００４】
そこで従来のヒンジキャップには、キャップに板バネを備えたものが知られている(例えば、特許文献１参照)。
【先行技術文献】
【特許文献】
【０００５】
【特許文献１】特開平０９‐１４２５１１
【考案の概要】
【考案が解決しようとする課題】
【０００６】
従来のヒンジキャップでは、ワンタッチ開封が可能なものであるが、板バネの反発力によって瞬間的に開放されるものであり、上蓋が勢い良く開き過ぎることがあった。また、反発力の強い板バネをキャップ内に保持するためには、キャップ本体と上蓋の固定部分を複雑な機構とするか、あるいはキャップ自体に剛性を持たせる必要があり、却って開封を困難となる問題があった。
【０００７】
この考案は、上記事情に鑑み、使用者が上蓋を段階的に開けることができるものであって、キャップ本体と上蓋の固定部分を複雑な機構としたりすることがなく、開蓋が容易なヒンジキャップを提供することを目的とする。
【課題を解決するための手段】
【０００８】
この考案は、容器の口部に装着されるキャップ本体と、該キャップ本体にヒンジを介して開閉自在に連結された上蓋とを備えたヒンジキャップにおいて、該キャップ本体は該上蓋を係止する係合部を有し、該キャップ本体または該上蓋のいずれか一方側に開蓋補助板を、他方側には当接壁を有し、閉蓋状態において該開蓋補助板はその先端が該当接壁に当接し、且つキャップ内に押し込められた状態で収容されるものであって、開蓋において該係合部の係合が解除された時、該開蓋補助板は該当接壁への当接を維持していることを特徴とする。また、開蓋補助板は、キャップ本体側に形成されるものであって、該キャップ本体の係合部から立設して形成されることを特徴とする。
【０００９】
この考案の当接壁部は、上蓋側に形成されるものであって、該上蓋の頂壁内面に設けられるシール筒の外周面に形成されることを特徴とする。また、開蓋補助板は開蓋時、開蓋補助板が当接壁から離脱する際にクリック音を発生させるものであることを特徴とする。
【考案の効果】
【００１０】
この考案は、開蓋の際、開蓋補助板が上蓋を開蓋方向に押し返す反発力を利用して係合部の解除を行うことができ、キャップ本体と上蓋の係合が解除された時、開蓋補助板の先端は当接壁へ当接しており、上蓋は所定の開き角度で停止するようになっている。これにより、使用者はキャップ本体と上蓋の間に指をあて、容易に開蓋を行うことができる。また、上蓋が勢い良く開き、使用者を驚かすということもない。
【図面の簡単な説明】
【００１１】
【図１】本考案のキャップの開蓋状態を示す斜視図である。
【図２】（ａ）、（ｂ）、（ｃ）、（ｄ）本考案の開蓋動作を説明する断面図である。
【図３】本考案のキャップ内の状態を示す拡大図である。
【考案を実施するための形態】
【００１２】
本考案の実施形態を図１〜３により説明する。キャップ１は、キャップ本体２と、キャップ本体２に被着される上蓋１１と、前記キャップ本体２と上蓋１１を連結するヒンジ１０と、を備えている。
【００１３】
キャップ本体２の内筒４と外筒５とは、頂壁３を介して連結されている。内筒４の内面には図示しない容器へ嵌合する容器嵌合部６が形成される。容器嵌合部６は、容器へ螺着させるためのねじ部であるが、容器へ強固に組み付く嵌合突起としてもよい。頂壁３の上面には係止部である係止筒８と、その内側には、注出筒７が立設されている。係止筒８の外面には外方へ膨出する膨出部８ａを備え、上蓋１１を係止させるものとなっている。
【００１４】
上蓋１１はスカート壁１３と、注出筒の開口をシールするためのシール筒１６が天壁１２に形成されている。スカート壁１３の内面には係合突起１４が配置されている。尚、この係合突起１４は周方向に間隔を置いて形成されるが、間隔を設けずに環状に形成されたものであってもよく、間隔や大きさは適宜変更ができる。
【００１５】
キャップ本体２には開蓋補助板９が形成されており、この開蓋補助板９は、係止筒８から立設するように形成されている。このように設けることにより、開蓋補助板９の基部を肉厚とすることができ、破損が生じにくい安定した形態のものを成形することができる。
【００１６】
この開蓋補助板９は、予め湾曲させたものとなっており、閉蓋時に上蓋１１の内面でキャップ内に押し込まれるものとなっている。開蓋補助板９は弾性を有するものであって、反発力を保持した状態でキャップ内に押し込み可能なものであればよい。
【００１７】
ヒンジ１０は種々公知の機構を用いることができるが、所定の開き角度で上蓋１１に引っ張り力が働くものが望ましく、例えば、三点ヒンジが好適に用いられる。
【００１８】
キャップ本体２の外筒５は内筒４と間隔を置いて設けられ、さらに使用者が押圧することができるように撓みやすいものとなっている。外筒５を内方に押すと、その上方に設けられた係合部８が変位し、開蓋補助板９が上蓋１１を押し上げる力と相まって、係合が解除されるものとなっている。また、図示はしないが、外筒５を局所的に薄肉とした押圧部を設けることもできる。尚、開蓋に際しては、上蓋１１のスカート壁１３に形成した鍔部１５を利用してもよい。
【００１９】
また、注出筒７の開口はキャップ１の中心に対して偏心位置であり、ヒンジ１０と反対側位置に設けられている。このように設けることで、容器を傾けて内容物の注ぎ出しを行う際に、キャップ本体２の頂壁３に内容物が付着しにくいものとすることができる。また、ヒンジ１０側に設けられる開蓋補助板９をキャップ内に収容しやすいものとすることができる。
【００２０】
次に、図２により上蓋１１の作動を説明する。図２（ａ）は閉蓋状態を示すものであり、開蓋補助板９はその先端９ａがシール筒１６の当接壁１６ａに当接した状態でキャップ内に押し込まれており、上蓋１１はキャップ本体１と係合している。
【００２１】
キャップ本体１の側面を指で押圧すると、図２（ｂ）に示すように、上蓋１１とキャップ本体２の係合が解除され、上蓋１１とキャップ本体１に隙間ｌが形成される。この時、開蓋補助板９の先端はシール筒１６の当接壁１６ａに当接した状態を維持しており、所定の開き角度で上蓋１１が停止するようになっている。この上蓋１１が開き角度は、ヒンジ１０の引っ張り力が作用するよりも小さい角度であって、詳細には５°及至３０°であることが望ましい。このように設けることで、指掛け性を向上させることができる。
【００２２】
ここで、鍔部１５はスカート壁１３の下部に形成され、好ましくはその下面とスカート壁１３の下面とが面一となるように形成される。このように形成することにより、鍔部１５は上蓋１１の開蓋を補完できるものとなっている。
【００２３】
図２（ｂ）の状態から、上蓋１１のスカート壁１３下面に指を掛け、軽く押し上げると、図２（ｃ）に示すように、開蓋補助板９が当接壁１６ａから外れるとともに、上蓋１１がヒンジによって引っ張られる状態となる。
【００２４】
上蓋１１がさらに開き、図２（ｄ）に示すように開蓋が完了する。尚、本実施例では、上蓋１１が略１８０°まで開封可能なものとなっており、図２（ｃ）は、開蓋途中の状態を示すものであるが、上蓋１１を略９０°まで開封可能なもの（すなわち図２（ｃ）の開き角度）としてもよく、開蓋完了時の開き角度は変更することができる。
【００２５】
最後に、図３はキャップ１の内部を示す拡大図であり、細部構造について説明する。当接壁１６ａの下部には突起１６ｂが形成されており、このように設けることで、開蓋補助板９の先端９ａが当接壁１６を摺動したとしても、突起１６ｂに係止することになる。また、開蓋補助板９の先端９ａは、薄肉に形成されている。このように設けることで、先端９ａは振動しやすくなり、開蓋補助板９が当接壁１６ａから離脱する際にクリック音が発生するものとなっている。尚、クリック音の発生させるために、突起１６ｂは必ずしも必須の構成ではなく、開蓋補助板９の先端９ａ側に引っかかりを設け、摩擦によりクリック音が発生する機構としてもよい。
【００２６】
また、本実施例において、キャップ１は、例えば、ポリエチレン樹脂からなり、単一の樹脂で形成されているが、開蓋補助板９のみ異なる樹脂で形成されていてもよい。この場合、例えば、ポリプロピレン等の比較的硬質の樹脂を用いて、開蓋補助板９に強度を持たすこともできる。
【００２７】
その他、本考案の趣旨を逸脱しない範囲で種々の変更が可能である。例えば、開蓋補助板９を上蓋１１側に設け、当接壁１６ａをキャップ本体２側に設けることも可能である。この場合、開蓋補助板９の先端をキャップの外方に向けて形成することが望ましく、当接壁１６ａには係止筒８の内面を利用することができる。
【産業上の利用可能性】
【００２８】
以上のように、使用者が一連の動作で上蓋の開閉を行うことができ、開閉が容易で使い勝手のよいヒンジキャップを提供できる。
【符号の説明】
【００２９】
１      キャップ
２      キャップ本体
３      頂壁
４      内筒
５      外筒
６      容器係合部
７      注出筒
８      係止筒
８ａ    膨出部
９      開蓋補助筒
９ａ    先端部
１０    ヒンジ
１１    上蓋
１２    天壁
１３    スカート壁
１４    係合突起
１５    鍔部
１６    シール筒
１６ａ  当接壁
１６ｂ  突起
【図１】
0003184328.tif 000003
【図２】
0003184328.tif 000004
【図３】
0003184328.tif 000005